(57)【要約】【課題】簡単かつ安価な構造で荷物を安定して棒状部材に吊り下げるとともに、棒状部材への着脱が容易な荷物掛け具を提供する。【解決手段】荷物掛け具は、ベルト部材１と、フック部材２とからなっている。ベルト部材１は、変形自在となる材料、例えば、ゴム、布、革といった材料からなる。ベルト部材１を、ほぼ中央の折り返し部１ａで折り返し、両端部を重ね合わせて環状に形成し、その重ね合わせた部分にフック部材２を取り付ける。フック部材２のフック部２ｂを荷物を掛けるために鉤状に曲げて形成する。棒状部材にベルト部材１を巻き付け、折り返し部１ａと棒状部材との間にフック部材２を通してベルト部材１を下方に引っ張って、ベルト部材１を棒状部材に締め付ける。これにより、荷物掛け具が棒状部材に固定されて、フック部２ｂに荷物を掛けることができる。【選択図】  図１
2004147883.tif 000002
【特許請求の範囲】
【請求項１】
棒状部材から吊り下げるように荷物を掛ける荷物掛け具において、
前記棒状部材に巻き付けられるように変形自在に形成された環状の帯状部材と、
前記帯状部材に取り付けられ、荷物を掛ける掛け部材とを備えていることを特徴とする荷物掛け具。
【請求項２】
前記帯状部材がゴム製であることを特徴とする請求項１に記載の荷物掛け具。
【請求項３】
前記帯状部材は、前記棒状部材に巻き付けられる部分がその他の部分よりも広い幅に形成されていることを特徴とする請求項１または２に記載の荷物掛け具。
【請求項４】
前記掛け部材が複数設けられていることを特徴とする請求項１ないし３のいずれか１項に記載の荷物掛け具。
【請求項５】
前記掛け部材は、掛けられた荷物がはずれないように保持する保持部を有することを特徴とする請求項１ないし３のいずれか１項に記載の荷物掛け具。
【請求項６】
前記掛け部材は、
掛け部材本体に対し回動自在に設けられ、荷物を掛ける掛け部と、
該掛け部の先端に係合し、前記掛け部材本体に設けられた係合部とを有することを特徴とする請求項１ないし３のいずれか１項に記載の荷物掛け具。
【発明の詳細な説明】
【０００１】
【発明の属する技術分野】
本発明は、荷物を棒状の部材に吊り下げるために用いる荷物掛け具に関するものである。
【０００２】
【従来の技術】
従来、物を棒状の部材に吊り下げた状態で保管したり運搬したりする場合、器具を用いて物を吊り下げることがよく行われる。
【０００３】
例えば、ベビーカーでは、荷物を十分に収容する部分が設けられていないことが多いため、買い物などの荷物はバッグに収容して運ぶことになる。しかしながら、ベビーカーを押しながらバッグを持つことは状況によっては難しいことがあり、また、バッグを持っていない場合は、さらに荷物の運搬が困難になる。そこで、前記のような器具を用いて、ベビーカーにおけるパイプ状の手押し部（棒状部材）に荷物を吊り下げることにより、荷物を容易に運ぶことができる。簡易的には、Ｓ字形状の器具の一方の湾曲部を手押し部に掛け、他方の湾曲部に荷物を掛けるということが行われている。
【０００４】
しかしながら、前記のようなＳ字形状の器具は、一般に樹脂や金属で形成されていて大きさや形状が定まっているために、棒状部材の形状に沿わないことが多い。例えば、ベビーカーの手押し部は、手で握りやすいような断面構造をなしており、円形の断面構造をなしていないことがある。このため、フックが棒状部材上で移動しやすくなり、荷物を安定させることができない。特に、棒状部材の表面が滑らかであるような場合、器具が棒状部材に対して滑りやすくなるため、大きな振動が生じると、その弾みで器具が棒状部材から外れてしまうおそれもある。
【０００５】
このような不都合を解消するために、例えば、特許文献１に記載されている器具は、先端に荷物を吊り下げるためのフックを有するベルトにバックルが取り付けられており、ベルトをベビーカーの手押し部に巻き付けた状態でバックルによりベルトを締め付けるようにして固定される。また、特許文献２に記載されている器具は、前述のＳ字形状の器具本体に、棒状部材に対する滑りを防止するために、棒状部材との接触部分に滑り止めのゴムが設けられている。
【０００６】
【特許文献１】
特開平９−２２６５９４号公報（公開日：平成９年９月２日）
【０００７】
【特許文献２】
実開平６−５５９３９号公報（公開日：平成６年８月２日）
【０００８】
【発明が解決しようとする課題】
ところが、特許文献１に記載の器具では、ベルトを手押し部に締め付けるためにバックルが必要となり、バックルの部品コストが器具の製品コストを高くするという不都合がある。また、バックルにベルトを通したり外したりする作業が必要であるため、棒状部材に対する着脱に手間がかかるという不都合がある。
【０００９】
一方、特許文献２に記載の器具では、ゴムの滑り止めにより安定して荷物を吊り下げることができるが、器具の本体部分が樹脂で作成された場合には、荷物の荷重や荷物を掛けた状態での衝撃によって本体部分が壊れやすいという問題がある。また、製造において本体部にゴムを取り付けるための工程が必要であり、製造コストが嵩むという不都合がある。
【００１０】
本発明は、上記の問題点に鑑みてなされたものであって、簡単かつ安価な構造で荷物を安定して棒状部材に吊り下げるるとともに、棒状部材への着脱が容易な荷物掛け具を提供することを目的としている。
【００１１】
【課題を解決するための手段】
本発明の荷物掛け具は、棒状部材から吊り下げるように荷物を掛ける荷物掛け具において、前記棒状部材に巻き付けられるように変形自在に形成された環状の帯状部材と、この帯状部材に取り付けられ、荷物を掛ける掛け部材とを備えていることを特徴としている。
【００１２】
上記の荷物掛け具を用いて荷物を棒状部材に吊り下げる際には、帯状部材を棒状部材に巻き付けて、掛け部材を帯状部材と棒状部材との間に通して下方に引っ張る（図３参照）。これにより、帯状部材が棒状部材に締め付けられるので、ベルトを締め付けるためのバックルなどの部材が不要になる。また、帯状部材が変形自在であることから、荷物の荷重や衝撃によって帯状部材が破損することもない。しかも、棒状部材への着脱も容易である。
【００１３】
前記荷物掛け具においては、前記帯状部材がゴム製であることが好ましい。これにより、帯状部材そのものが滑りにくい材質からなるので、帯状部材に滑り止めのためのゴムなどを設ける必要がなくなる。
【００１４】
前記荷物掛け具において、前記帯状部材は、前記棒状部材に巻き付けられる部分がその他の部分よりも広い幅に形成されていることが好ましい。これにより、帯状部材が棒状部材により広い面積で接触することになり、帯状部材による保持力を大きくすることができる。
【００１５】
前記荷物掛け具においては、前記掛け部材が複数設けられていることが好ましい。これにより、複数の荷物を容易に掛けることができる。
【００１６】
前記荷物掛け具において、前記掛け部材は、掛けられた荷物がはずれないように保持する保持部を有することが好ましい。これにより、振動などによって荷物が掛け部材からはずれることを防止できる。
【００１７】
前記荷物掛け具において、前記掛け部材は、掛け部材本体に対し回動自在に設けられ、荷物を掛ける掛け部と、該掛け部の先端に係合し、前記掛け部材本体に設けられた係合部とを有することが好ましい。このような構成では、荷物を掛け部材に掛けるときには、掛け部の係合部に対する係合状態を解除し、荷物を掛け部に掛けてから掛け部を係合部に係合させる。これにより、掛け部と係合部とが係合している状態では、荷物が掛け部材からはずれないように保持される。したがって、振動などによって荷物が掛け部材からはずれることを防止できる。
【００１８】
【発明の実施の形態】
本発明の実施の一形態について図１ないし図１０に基づいて説明すれば、以下の通りである。
【００１９】
本発明の荷物掛け具は、図１の斜視図および図２（ａ）の側面図に示すように、ベルト部材１と、フック部材２とからなっている。
【００２０】
帯状部材としてのベルト部材１は、ほぼ中央の折り返し部１ａで折り返されるとともに、両端部が重ね合わされることによって環状に形成されている。ベルト部材１は、後述する棒状部材３（図３参照）に巻き付けることができるように、変形自在となる材料、ゴム、布、革などの材料によって形成されている。ここで、ベルト部材１における折り返し部１ａから後述するフック部２ｂ側に位置する部分を前面部１ｂと称し、折り返し部１ａからフック部２ｂと反対側に位置する部分を背面部１ｃと称する。
【００２１】
フック部材２は、保持部２ａと、フック部２ｂとを有している。保持部２ａは、重ね合わされたベルト部材１の両端部を覆い込むようにして強固に保持している。図２（ｂ）の正面図に示すように、保持部２ａは、ベルト部材１を保持する前は、図中に二点鎖線で示すように、両側に広がっている。この広がった部分を、図２（ｃ）の背面図に示すように、ベルト部材１の重ね合わされた両端部を押さえ込むように折り重ねることにより、フック部材２がベルト部材１に取り付けられる。
【００２２】
フック部２ｂは、荷物を掛けるために鉤状に曲がって形成されている。
【００２３】
上記のように構成される荷物掛け具の使用方法について説明する。
【００２４】
まず、図３（ａ）に示すように、水平方向に配された棒状部材３の上側にフック部材２が位置するようにベルト部材１を棒状部材３に巻き付ける。そして、図３（ｂ）に示すように、ベルト部材１の折り返し部１ａと棒状部材３との間にフック部材２を通して下方に引っ張ると、ベルト部材１が棒状部材３に締め付けられる。これにより、図４に示すように、荷物掛け具が棒状部材３に固定されるので、フック部２ｂに荷物を掛けることができ、かつ棒状部材３への荷物掛け具の着脱を容易に行うことができる。
【００２５】
このように、本荷物掛け具は、折り返し部１ａと棒状部材３との間にフック部材２側のベルト部材１を通すことにより、ベルト部材１が折り返し部１ａで保持されるので、前述の特許文献１の器具が必要としていたベルトを締め付けるためのバックルが不要になる。また、本体部分となるベルト部材１が変形自在の材料から形成されることにより、棒状部材の３の断面形状に関わらず確実に棒状部材３に保持されるだけでなく、荷物の荷重や衝撃によって破損することがない。しかも、ベルト部材１がゴム、革などの滑りにくい材料からなることにより、棒状部材３に対する滑り止めのためにベルト部材１にゴムを貼り付けることが不要になり、部品点数を削減することができる。したがって、簡単な構造でかつ安価に荷物掛け具を製造することができる。
【００２６】
また、ベルト部材１は、棒状部材３上で前面部１ｂと背面部１ｃとが重なる部分の大きさを調整することによって、棒状部材３との接触面積を変えることができる。したがって、図４に示すように、前面部１ｂと背面部１ｃとの重なりを狭くしてベルト部材１の棒状部材３との接触面積を大きく確保すれば、ベルト部材１による保持力を大きくすることができる。これに対し、前述の特許文献１に開示された器具のベルトは、ベルト幅の領域しか棒状部材に接触しないので、その接触面積は本荷物掛け具のベルト部材１よりも小さく、したがってベルトによる保持力も小さい。
【００２７】
また、本荷物掛け具を使用しないときには、ベルト部材１を丸めることによってコンパクトにして、バッグやポケットなどに収容することができ、持ち運びが容易になる。
【００２８】
さらに、本荷物掛け具は、図５に示すように、鉛直方向に配される棒状部材３にもずれることなく保持される。具体的には、背面部１ｃが折り返し部１ａから捩じれた状態で棒状部材３に巻き付くので、図５に示す状態では、折り返し部１ａが下側に向きやすくなる。したがって、その方向にフック部材２を垂下させることによって、ベルト部材１に大きな負担をかけることなくフック部材２に荷物を掛けることができる。これに対し、特許文献１の器具は、ベルトをバックルで締め付けるため、ベルトが棒状部材の長手方向に対し垂直に向こうとするので、鉛直方向に配される棒状部材３に取り付けられると、ベルトが大きく捩じれてしまい、その捩じれた部分の両縁がバックルに擦れて破損しやすくなる。本荷物掛け具は、バックルがないので、鉛直方向に配された棒状部材３に取り付けられた場合でも、破損することなく安定して荷物を掛けることができる。
【００２９】
図６（ａ）に示すように、本荷物掛け具をベビーカー４に取り付けて荷物５を掛ける場合、水平方向の手押し部４ａに図４に示すようにしてベルト部材１を巻き付けることによって、手押し部４ａに荷物５を掛けることができる。この場合、荷物５の重心が高い位置にあるため、ベビーカー４に乳児を載せていても、掛ける荷物５がかなり重ければ、手押し部４ａが下方に引っ張られてベビーカー４が不安定になるおそれがある。これに対し、図６（ｂ）に示すように、手押し部４ａをその両側で支持する支持部４ｂに本荷物掛け具を図５に示すように取り付けることによって、荷物５の重心が下がるので、ベビーカー４を安定させることができる。
【００３０】
なお、本実施の形態では、フック部材２は、図１に示すように、単純な鉤状の構造となっているが、これ以外の構造であってもよい。
【００３１】
例えば、図７に示すフック部材２１は、２つのフック部２１ａ，２１ａを有している。フック部２１ａは、２つに限らず、構造上可能であれば３つ以上であってもよい。このようなフック部材２１を用いれば、複数の荷物を容易に掛けることができる。
【００３２】
また、図８に示すフック部材２２は、鉤状のフック部２２ａと、保持部２２ｂとを有している。保持部２２ｂは、バネにより矢印Ａ側に付勢されており、この状態で、フック部２２ａに掛けられた荷物がフック部２２ａから外れないように保持する。また、保持部２２ｂをバネの付勢力に抗して矢印Ｂ側に押すことによって、荷物の掛け外しをすることができる。これにより、振動などによって荷物がフック部材２２からはずれることを防止できる。
【００３３】
さらに、図９に示すフック部材２３は、係合部２３ａと、掛け部２３ｂとを有している。掛け部２３ｂは、「へ」の字に中央部分が屈曲しており、フック部材本体２３ｃ（掛け部材本体）の下端部に蝶番構造などによって回動自在に取り付けられている。係合部２３ａは、掛け部２３ｂの先端である回動側端部と係合するように突起状に形成されている。このフック部材２３によっても、フック部材２２と同様に荷物を外れないように保持することができる。
【００３４】
一方、ベルト部材１の材質や形状なども、図１に示したものに限定されない。例えば、図１０に示す荷物掛け具のベルト部材１１は、前面部１１ｂおよび背面部１１ｃの中央部とその周辺の部分、すなわち棒状部材３に巻き付けられる部分がその両側よりも広い幅に形成されている。これにより、ベルト部材１１が棒状部材３に接触する面積を大きくして、ベルト部材１１の保持力を前述のベルト部材１に比べて大きくすることができる。幅広部分の形状は、図１０に示した形状に限定されない。
【００３５】
なお、ベルト部材１，１１は、前述のフック部材２１〜２３のいずれにも組み合わせが可能であることは勿論である。
【００３６】
【発明の効果】
以上のように、本発明の荷物掛け具は、棒状部材から吊り下げるように荷物を掛ける荷物掛け具において、前記棒状部材に巻き付けられるように変形自在に形成された環状の帯状部材と、この帯状部材に取り付けられ、荷物を掛ける掛け部材とを備えている構成である。
【００３７】
これにより、帯状部材が棒状部材に締め付けられるので、ベルトを締め付けるためのバックルなどの部材が不要になる。また、帯状部材が変形自在であることから、荷物の荷重や衝撃によって帯状部材が破損することもない。しかも、棒状部材への着脱も容易になる。したがって、簡単かつ安価な構造で荷物を安定して棒状部材に吊り下げることができるとともに、簡単に取り付けおよび取り外しが可能な荷物掛け具を提供することができるという効果を奏する。
【００３８】
前記荷物掛け具においては、前記帯状部材がゴム製であることにより、帯状部材そのものが滑りにくい材質からなるので、帯状部材に滑り止めのためのゴムなどを設ける必要がなくなる。したがって、部品点数の削減が可能になるという効果を奏する。
【００３９】
前記荷物掛け具において、前記帯状部材は、前記棒状部材に巻き付けられる部分がその他の部分よりも広い幅に形成されていることにより、帯状部材が棒状部材により広い面積で接触することになり、帯状部材による保持力を大きくすることができる。したがって、より安定して荷物を掛けることができるという効果を奏する。
【００４０】
前記荷物掛け具においては、前記掛け部材が複数設けられていることにより、複数の荷物を容易に掛けることができる。
【００４１】
前記荷物掛け具において、前記掛け部材が、掛けられた荷物がはずれないように保持する保持部を有することにより、振動などによって荷物が掛け部材からはずれることを防止できる。したがって、より安定して荷物を棒状部材に吊り下げることができる。
【００４２】
前記荷物掛け具において、前記掛け部材が、掛け部材本体に対し回動自在に設けられ、荷物を掛ける掛け部と、該掛け部の先端に係合し、前記掛け部材本体に設けられた係合部とを有することにより、掛け部と係合部とが係合している状態では、荷物が掛け部材からはずれないように保持される。それゆえ、振動などによって荷物が掛け部材からはずれることを防止できる。したがって、より安定して荷物を棒状部材に吊り下げることができる。
【図面の簡単な説明】
【図１】本発明の実施の一形態に係る荷物掛け具の構成を示す斜視図である。
【図２】（ａ）ないし（ｃ）はそれぞれ上記荷物掛け具の構成を示す側面図、正面図、背面図である。
【図３】（ａ）および（ｂ）は上記荷物掛け具を棒状部材に取り付ける手順を示す図である。
【図４】上記荷物掛け具を水平に配された棒状部材に取り付けた状態を示す図である。
【図５】上記荷物掛け具を鉛直に配された棒状部材に取り付けた状態を示す図である。
【図６】（ａ）および（ｂ）は上記荷物掛け具をベビーカーに取り付けた状態を示す図である。
【図７】上記荷物掛け具のフック部材の他の形態を示す図である。
【図８】上記荷物掛け具のフック部材のさらに他の形態を示す図である。
【図９】上記荷物掛け具のフック部材の別の形態を示す図である。
【図１０】上記荷物掛け具のベルト部材の他の形態を示す図である。
【符号の説明】
１          ベルト部材（帯状部材）
１ａ        折り返し部（中央部）
２          フック部材（掛け部材）
１１          ベルト部材
２１〜２３    フック部材
２２ｂ        保持部
２３ａ        係合部
２３ｂ        掛け部
２３ｃ        フック部材本体（掛け部材本体）
【図１】
2004147883.tif 000003
【図２】
2004147883.tif 000004
【図３】
2004147883.tif 000005
【図４】
2004147883.tif 000006
【図５】
2004147883.tif 000007
【図６】
2004147883.tif 000008
【図７】
2004147883.tif 000009
【図８】
2004147883.tif 000010
【図９】
2004147883.tif 000011
【図１０】
2004147883.tif 000012